(57)【要約】【課題】受信可能なチャンネルを確実に報知することができるディジタル放送受信装置を提供することにある。【解決手段】指定したチャンネルの放送波を受信するチューナー部１０１と、チャンネルに対応する複数の選局ボタンＢを含むキー操作部１１１と、複数の選局ボタンＢのうち、チューナー部１０１が受信可能なチャンネルに対応する選局ボタンＢと、それ以外の選局ボタンＢとを視覚的に区別可能に制御する制御部１１６とを設けたので、受信可能なチャンネルを確実に報知することができる。【選択図】図１
2005341478.tif 000002
【特許請求の範囲】
【請求項１】
指定したチャンネルの放送波を受信する受信手段と、
前記チャンネルに対応する複数の選局ボタンと、
前記複数の選局ボタンのうち、前記受信手段が受信可能なチャンネルに対応する選局ボタンと、それ以外の選局ボタンとを視覚的に区別可能に制御する制御手段と
を有することを特徴とするディジタル放送受信装置。
【請求項２】
前記選局ボタンに対応して設けられた発光手段を有し、
前記制御手段は、前記発光手段を発光させて、前記受信手段が受信可能なチャンネルに対応する選局ボタンを照らす
ことを特徴とする請求項１に記載のディジタル放送受信装置。
【請求項３】
表示手段を有し、
前記制御手段は、前記受信手段が受信可能なチャンネルに対応する選局ボタンのうち、前記表示手段に表示しているチャンネルに対応する選局ボタンと、それ以外の選局ボタンを視覚的に区別可能に制御する
ことを特徴とする請求項１または請求項２に記載のディジタル放送受信装置。
【請求項４】
受信地域の変更を検知する検出手段を有し、
前記制御手段は、前記検出手段が前記変更を検出した場合に、該変更した地域において前記受信手段が受信可能なチャンネルに対応する選局ボタンの発光手段を発光させる
ことを特徴とする請求項２または請求項３のいずれかに記載のディジタル放送受信装置。
【請求項５】
前記制御手段は、前記受信手段が受信可能なチャンネルを検出するチャンネルスキャンを実行した場合に、前記受信手段が受信可能なチャンネルと、前記チャンネルの放送局とに関する情報とを対応付けて表示手段に表示させる
ことを特徴とする請求項３に記載のディジタル放送受信装置。
【請求項６】
前記制御手段は、前記受信手段による各チャンネルの放送波の受信状態に応じた発光強度で、前記チャンネルに対応する発光手段を発光させる
ことを特徴とする請求項２から請求項５のいずれかに記載のディジタル放送受信装置。
【請求項７】
前記発光手段は、複数の異なる色で発光し、
前記制御手段は、前記受信手段による、各チャンネルの放送波の受信状態に応じた色で、前記チャンネルに対応する発光手段を発光させる
ことを特徴とする請求項２から請求項６のいずれかに記載のディジタル放送受信装置。
【発明の詳細な説明】
【技術分野】
【０００１】
本発明は、例えば、ディジタル放送が受信可能な携帯電話やＰＤＡ（Personal digital assistant）等のディジタル放送受信装置に関する。
【背景技術】
【０００２】
近年、携帯電話機にテレビチューナを内蔵する技術が知られている（例えば、特許文献１参照）。また地上波ディジタル方法または衛星ディジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００３】
しかし地上波ディジタル放送は、その送受信性能が地形等の地理的条件に左右され、地域によっては同じチャンネルの電波が別々の放送局から受信されるために、混信して受信画面が乱れる等の現象が発生してしまう。そこで混信が発生しないように、所在に応じて各々の放送局に対し異なるチャンネル（周波数）を割り当てて電波の送信を行う。
このようにして混信の発生を防止できるが、このような放送システムは携帯端末の基本的性質である移動性には不向きであり、例えば初めて訪れる地域ではテレビ放送やラジオ放送の受信チャンネルがわからないため、視聴したい番組を見逃してしまう場合がある。
このため、受信可能なチャンネルを確実に報知することができるディジタル放送受信装置が望まれている。
【０００４】
本発明は、かかる事情に鑑みてなされたものであり、その目的は、受信可能なチャンネルを確実に報知することができるディジタル放送受信装置を提供することにある。
【課題を解決するための手段】
【０００５】
前記目的を達成するために、本発明に係るディジタル放送受信装置は、指定したチャンネルの放送波を受信する受信手段と、前記チャンネルに対応する複数の選局ボタンと、前記複数の選局ボタンのうち、前記受信手段が受信可能なチャンネルに対応する選局ボタンと、それ以外の選局ボタンとを視覚的に区別可能に制御する制御手段とを有する。
【０００６】
好適には、前記選局ボタンに対応して設けられた発光手段を有し、前記制御手段は、前記発光手段を発光させて、前記受信手段が受信可能なチャンネルに対応する選局ボタンを照らす。
【０００７】
また、好適には、表示手段を有し、前記制御手段は、前記受信手段が受信可能なチャンネルに対応する選局ボタンのうち、前記表示手段に表示しているチャンネルに対応する選局ボタンと、それ以外の選局ボタンを視覚的に区別可能に制御する。
【０００８】
また、好適には、受信地域の変更を検知する検出手段を有し、前記制御手段は、前記検出手段が前記変更を検出した場合に、該変更した地域において前記受信手段が受信可能なチャンネルに対応する選局ボタンの発光手段を発光させる。
【０００９】
また、好適には、前記制御手段は、前記受信手段が受信可能なチャンネルを検出するチャンネルスキャンを実行した場合に、受信可能なチャンネルを検出するチャンネルスキャンを実行し、前記受信手段が受信可能なチャンネルと、前記チャンネルの放送局とに関する情報とを対応付けて表示手段に表示させる。
【００１０】
また、好適には、前記制御手段は、前記受信手段による各チャンネルの放送波の受信状態に応じた発光強度で、前記チャンネルに対応する発光手段を発光させる。
【００１１】
また、好適には、前記発光手段は、複数の異なる色で発光し、前記制御手段は、前記受信手段による、各チャンネルの放送波の受信状態に応じた色で、前記チャンネルに対応する発光手段を発光させる。
【発明の効果】
【００１２】
本発明によれば、受信可能なチャンネルを確実に報知することができるディジタル放送受信装置を提供することができる。
【発明を実施するための最良の形態】
【００１３】
図１は、本発明の第１実施形態に係るディジタル放送受信装置を採用した通信システム１０００の全体図である。
本実施形態に係るディジタル放送受信装置１００は、例えば放送局１００１や中継局から送信されるテレビ放送やラジオ放送等のディジタル放送波を受信する機能を有し、複数の選局ボタンのうち、受信可能なチャンネルに対応する選局ボタンと、それ以外の選局ボタンとを視覚的に区別可能に制御する。
【００１４】
例えば、ディジタル放送受信装置１００は、発光手段を発光させて、受信可能なチャンネルに対応する選局ボタンを照らすことで、視覚的に区別可能に制御する。
例えば、ディジタル放送受信装置は、携帯電話、ＰＤＡ、カーナビゲーション装置等の移動体のためのディジタル放送受信装置である。
本実施形態ではディジタル放送受信装置として携帯電話１００を説明する。
【００１５】
以下、図面を参照しながら、本実施形態に係る携帯電話１００を説明する。
図２は、本発明に係る携帯電話の一実施形態を示す機能ブロック図である。
【００１６】
携帯電話１００は、例えば図２に示すように、チューナー部１０１、復調部１０２、多重分岐部１０３、画像処理部１０４、データ処理部１０５、表示部１０６、音声処理部１０７、受話部１０８、送話部１０９、通信部１１０、キー操作部１１１、発光部１１２、発光調整部１１３、チャンネルスキャン部１１４、メモリ１１５、および制御部１１６を有する。
【００１７】
チューナー部１０１、および復調部１０２は、本発明に係る受信手段の一具体例に相当する。
表示部１０６は本発明に係る表示手段の一例に相当し、キー操作部１１１は本発明に係る選局ボタンの一例に相当し、制御部１１６は本発明に係る制御手段の一例に相当する。
【００１８】
チューナー部１０１、例えば高周波回路、同調回路、周波数変換回路等により構成され、制御部１１６の制御により、指定したチャンネル（周波数）の放送波をアンテナＡＮＴ１を介して受信し、中間周波信号に変換して復調部１０２に出力する。
【００１９】
復調部１０２は、例えば復調回路等により構成され、制御部１１６の制御によりチューナー部１０１から出力された信号に、予め規定された復調処理を施して、多重分岐部１０３に出力する。
【００２０】
多重分岐部１０３は、復調部１０２から出力された信号に予め規定された復号処理等を施して画像信号、音声信号、データ信号等を生成し、画像処理部１０４、データ処理部１０５、音声処理部１０７、制御部１１６等に出力する。
【００２１】
画像処理部１０４は、例えば制御部１１６の制御により、多重分岐部１０３から出力された画像信号に所定の画像処理を施して、表示部１０６に所定の画像を表示させる。
【００２２】
データ処理部１０５は、例えば制御部１１６の制御により、多重分岐部１０３から出力されたデータ信号に所定のデータ処理を施して表示部１０６に所定の表示をさせる。
【００２３】
表示部１０６は、例えば液晶表示装置（ＬＣＤ：Liquid crystal display）や、ＴＦＴ（Thin Film Transistor）型ＬＣＤや、ディスプレイ装置等の表示装置により構成され、制御部１１６の制御により、画像信号やデータに応じた表示をする。
【００２４】
携帯電話１００の装置本体部１は、例えば図１に示すように、第１筐体部１１、および第２筐体部１２を有する。第１筐体部１１と第２筐体部１２は、折曲部１３により折り曲げ可能に接続されている。
表示部１０６は、例えば図１に示すように、装置本体部１の第１筐体部１１の中央部に設けられている。
【００２５】
音声処理部１０７は、例えば制御部１１６の制御により、多重分岐部１０３や通信部１１０から出力された信号に所定処理を施して、受話部１０８に音声信号を出力する。
また、音声処理部１０７は、制御部１１６の制御により、送話部１０９から出力された音声信号に所定処理を施し、制御部１１６や通信部１１０に出力する。
【００２６】
受話部１０８は、例えばスピーカ等の発音装置により構成され、音声処理部１０７からの音声信号に応じた発音を行う。
受話部１０８は、例えば図1に示すように、第１筐体部１１の上部に設けられている。
【００２７】
送話部１０９は、例えばユーザの音声に応じた電気信号を、音声処理部１０７や通信部１１０に出力する。
送話部１０９は、例えば図１に示すように、第２筐体部１２の下部に設けられている。
【００２８】
通信部１１０は、例えば制御部１１６の制御により、無線信号により基地局や通信機能を有する他のディジタル放送受信装置と通信を行う。通信部１１０は、例えば受信無線部、復調部、復号部、デジタル／アナログ（Ｄ／Ａ）変換部、アナログ／デジタル（Ａ／Ｄ）変換部、符号化部、変調部、送信無線部等により構成される。
【００２９】
通信部１１０は、送話部１０９から出力された音声信号を予め規定された方式で無線信号に変換してアンテナＡＮＴ２を介して例えば基地局等に出力する。また、通信部１１０は、アンテナＡＮＴ２で受信した無線信号に予め規定された方式で復調して音声信号、画像信号、データ信号等を生成し、制御部１１６、表示部１０６、受話部１０８等に出力する。
【００３０】
キー操作部１１１は、例えば、ユーザの操作に応じた信号を、制御部１１６に出力する。
キー操作部１１１は、例えば図１に示すように、装置本体部１の第２筐体部１２の中央部に設けられている。
【００３１】
例えば本実施形態では、キー操作部１１１は、例えば”１”，”２”，…，”９”，”０”の数字ボタン、”＊”ボタン、”＃”ボタン、方向ボタンＡＢ、スキャンボタンＳＢ、点灯ボタンＲＢ等を有する。
【００３２】
キー操作部１１１は、例えば電話モードの場合には、通信相手の通信装置に割り当てられた電話番号を入力するためのボタンとして機能する。
【００３３】
また、キー操作部１１１は、例えばディジタル放送受信モードの場合には、複数のボタンのうち、一部またはすべてのボタンが、チャンネルに対応する複数の選局ボタンとして機能する。
【００３４】
本実施形態では、例えばキー操作部１１１のボタンのうち、”１”〜”９”ボタンそれぞれが、１〜９チャンネルそれぞれの選局ボタンに、”＊”ボタンが１０チャンネルの選局ボタンに、”０”ボタンが１１チャンネルの選曲ボタンに、”＃”ボタンが１２チャンネルの選局ボタンとして機能し、これらチャンネルに対応する選局ボタンを称してボタンＢとしている。
【００３５】
発光部１１２は、例えばキー操作部１１１の複数の選局ボタンそれぞれに対応して設けられ、制御部１１６の制御により発光して、選局ボタンＢを含むキー操作部１１１を照らす。
例えば発光部１１２は、発光ダイオード（ＬＥＤ：Light emitting diode）や、有機ＥＬ（electroluminescence）素子等の発光素子により構成される。
また、発光部１１２としては、複数の異なる色で発光する複数のＬＥＤを設けてもよい。
【００３６】
発光調整部１１３は、例えば制御部１１６の制御により、発光部１１２に供給する電流量を制御することにより、発光部１１２の発光強度を変化させる。
発光調整部１１３は、例えば制御部１１６の制御により、受信状態に応じた発光強度で発光部１１２を発光させる。
また、発光調整部１１３は、制御部１１６の制御により、受信状態に応じた色で発光部１１２を発光させてもよい。
【００３７】
チャンネルスキャン部１１４は、例えば制御部１１６の制御により、チューナー部１０１の同調回路等を制御して、受信可能なチャンネルをスキャンする。
【００３８】
メモリ１１５は、制御部１１６の制御により、ユーザーデータやチャンネル情報等のデータや、プログラム（ＰＲＧ）等を記録し、制御部１１６の処理のワークスペースとして機能する。
メモリ１１５は、例えばＲＯＭ（Read only memory ）、やＲＡＭ（Random Access Memory）等により構成される。
プログラム（ＰＲＧ）は、例えば本発明に係る機能を有し、制御部１１６が実行することにより本発明に係る機能を実現する。
【００３９】
制御部１１６は、装置全体を統括的に制御する。
例えば制御部１１６は、上述したようにプログラム（ＰＲＧ）をメモリ１１５をワークスペースとして実行することにより、その制御を行う。以下、本発明に係る機能を中心に説明する。
【００４０】
制御部１１６は、複数の選局ボタンＢのうち、チューナー部１０１が受信可能なチャンネルに対応する選局ボタンＢと、それ以外の選局ボタンＢとを視覚的に区別可能に制御する。
【００４１】
詳細には、制御部１１６は、発光部１１２を発光させて、チューナー部１０１が受信可能なチャンネルに対応する選局ボタンＢを照らすことで、受信可能なチャンネルに対応する選局ボタンＢと、それ以外の選局ボタンＢとを視覚的に区別可能に制御する。
【００４２】
制御部１１６は、また、チューナー部１０１が信可能なチャンネルに対応する選局ボタンＢのうち、表示部１０６に表示しているチャンネルに対応する選局ボタンＢと、それ以外の選局ボタンＢを視覚的に区別可能に制御する。
【００４３】
詳細には、制御部１１６は、例えば受信信可能なチャンネルに対応する選局ボタンＢのうち、表示部１０６に表示しているチャンネルに対応する選局ボタンＢを点滅させ、それ以外の選局ボタンＢを点灯させることで、視覚的に区別可能に制御する。また、色で区別してもよい。
【００４４】
また、制御部１１６は、チューナー部１０１による各チャンネルの放送波の受信状態に応じた発光強度で、チャンネルに対応する発光部１１２を発光させる。
詳細には制御部１１６は、発光調整部１１３に、受信状態に応じて発光部１１２に供給する電流量を制御させる、例えば受信状態がよい場合には発光部１１２の発光強度が大きくなるように、受信状態が悪い場合には発光強度が小さくなるように、電流量を制御させる。
【００４５】
制御部１１６は、また、チューナー部１０１による、各チャンネルの放送波の受信状態に応じた色で、前記チャンネルに対応する発光部１１２を発光させてもよい。
詳細には、制御部１１６は、例えば受信状態がよいチャンネルの選局ボタンＢに対応する発光部１１２に青色発光させ、受信状態が悪いチャンネルの選局ボタンＢに対応する発光部１１２に赤色発光させる。また、点灯や点滅により区別してもよい。
【００４６】
また、制御部１１６は、チューナー部１０１が受信可能なチャンネルを検出するチャンネルスキャンをチャンネルスキャン部１１４に実行させた場合に、発光部１１２に発光させ、かつチューナー部１０１が受信可能なチャンネルと、そのチャンネルの放送局とを対応付ける表示を表示部１０６に表示させる。
【００４７】
つまり、上述したように、その受信エリアで放送している全チャンネルに対応する選局ボタンＢに備えられた発光部１１２を点灯させる場合（簡単のため選局ボタンＢを点灯させるともいう）、点灯しているにも係わらず、チャンネルスキャンを実行したその場所特有の障害が影響して視聴できないチャンネルが存在する場合がある。
そのような場合には、制御部１１６は、上述したように受信状態に応じて点灯の発光強度を段階的に変える（例えば、受信状態が良いチャンネルは強く、悪いチャンネルは弱く発光する）ことや、点灯するＬＥＤ色を変更する（例えば、受信状態が良いチャンネルは青、悪いチャンネルは赤く点灯する）ことも効果的である。
これによりユーザは、放送されていないチャンネルと放送されているが受信状態が悪く視聴できないチャンネルとの区別も可能となる。
なお、ここでいう受信状態とは、電波受信の電界強度や映像/音声を含む再生品質の概念も内包するものである。
【００４８】
以下、携帯電話１００の動作の一具体例を説明する。
【００４９】
図３は、図１に示した携帯電話のチャンネルスキャン時の動作を説明するためのフローチャートである。図３を参照しながら手動によりチャンネルスキャン動作を開始する場合の動作を、制御部１１６の動作を中心に説明する。
【００５０】
制御部１１６は、例えば視聴モード時には、キー操作部１１１の複数のボタンのうち特定キー、例えばスキャンボタンＳＢにチャンネルスキャン機能を割り当てる。
【００５１】
ステップＳＴ１において、制御部１１６は、キー操作部１１１のスキャンボタンＳＢが操作された場合には、ステップＳＴ２において制御部１１６は、この受信エリア内の放送局からチャンネル情報を取得して、チャンネル情報を生成する。それ以外の場合には、処理を終了する。
【００５２】
ステップＳＴ３において，制御部１１６は、メモリ１１５内に取得したチャンネル情報を記憶する。チャンネル情報には、例えば、該取得した地域において視聴可能なチャンネルと、該チャンネルに対応するボタン番号が含まれている（例えば○○テレビと１）。
詳細には、制御部１１６は、視聴可能（受信可能）なチャンネルに対応する複数個の選局ボタンＢに対応して備えられた発光部（ＬＥＤ）１１２を点灯させ、それ以外の選局ボタンＢに対応して設けられた発光部１１２の発光を抑制させることで、視覚的に区別可能に制御する。
【００５３】
ステップＳＴ５において、制御部１１６は、表示部１０６に表示しているチャンネルに対応する選局ボタンＢのボタンのＬＥＤを発光させる。
【００５４】
また、チャンネル情報を取得するとともに、その位置での受信状態を考慮する別の実施形態を以下に示す。
【００５５】
図４は、図１に示した携帯電話のチャンネルスキャン結果に応じたチャンネル情報の一具体例を示す図である。
制御部１１６は、チャンネルスキャン結果に基づいて、例えば図４に示すようにチャンネル情報ＤＣを生成する。チャンネル情報ＤＣは、例えばチャンネルと、そのチャンネルの放送波の受信状態とを関連付けて記録する。簡単な説明のため受信状態が良好な場合を丸印、良好でない場合を三角印、受信できない場合を×印として示す。
【００５６】
ステップＳＴ３において、制御部１１６は、メモリ１１５内に、そのチャンネル情報ＤＣを記憶する。
ステップＳＴ４において、制御部１１６は、そのチャンネルスキャンの結果を示すチャンネル情報ＤＣに基づいて、複数の選局ボタンＢのうち、チューナー部１０１が受信可能なチャンネルに対応する選局ボタンＢと、それ以外の選局ボタンＢとを視覚的に区別可能に制御する。
【００５７】
詳細には、制御部１１６は、視聴可能（受信可能）なチャンネルに対応する複数個の選局ボタンＢに対応して備えられた発光部（ＬＥＤ）１１２を点灯させ、それ以外の選局ボタンＢに対応して設けられた発光部１１２の発光を抑制させることで、視覚的に区別可能に制御する。
【００５８】
ステップＳＴ５において、制御部１１６は、表示部１０６に表示しているチャンネルに対応する選局ボタンＢのボタンのＬＥＤを点滅させる。
詳細には、ステップＳＴ５において、制御部１１６は、スキャン結果に基づいて、例えば現在場所における受信エリア内で、視聴可能なチャンネル番号のうち一番小さい番号のチャンネルの放送波をチューナー部１０１に受信させ、そのチャンネルの放送波に含まれるコンテンツデータに応じた画像を表示部１０６に表示させて、そのチャンネルに対応する選局ボタンＢに備えられた発光部１１２を点滅させる。
【００５９】
なお、視聴可能なチャンネルは、本具体例ではチャンネルスキャンにより、実際に受信したチャンネルを想定しているが、制御部１１６は、チューナー部１０１が受信した、放送局からの地域コードを認識し、その受信エリアで放送している全チャンネルに対応する選局ボタンＢを点灯させてもよい。
【００６０】
図５は、図１に示した携帯電話の発光部（ＬＥＤ）の消灯時の動作を説明するためのフローチャートである。図５を参照しながら、発光部（ＬＥＤ）１１２の自動消灯の動作を、制御部１１６の動作を中心に説明する。
【００６１】
ステップＳＴ１１において、制御部１１６は、チャンネル情報ＤＣに基づいて、受信可能なチャンネルの選局ボタンＢに対応する発光部（ＬＥＤ）１１２を点灯させる。
【００６２】
ステップＳＴ１２において、制御部１１６は、ＬＥＤ１１２の点灯をトリガーとして、その点灯開始から所定時間後に消灯させる時間を計時するためのタイマーである、消灯タイマーを起動させる。
【００６３】
ステップＳＴ１３において、制御部１１６は、選局ボタンＢが操作されたか否かを判別し、選局ボタンＢが操作されたと判断した場合には、ステップＳＴ１２の処理に戻り、消灯タイマーのそれまでの経過時間をリセットし、新たに計時を始める。
一方、ステップＳＴ１３において、選局ボタンＢが操作されていないと判別した場合には、制御部１１６は、タイムアウトしたか否かを判別する。詳細には、制御部１１６は、所定の時間、例えば数秒が経過したか否かを判別する（ＳＴ１４）。
【００６４】
ステップＳＴ１４において、タイムアウトしていないと判別した場合には、ステップＳＴ１３の処理に戻り、タイムアウトしていると判別した場合には、つまり所定時間経過したと判別した場合には、発光部（ＬＥＤ）１１２の発光を抑止（消灯）させる。
【００６５】
上述したように所定時間後に発光部（ＬＥＤ）１１２を消灯させることで、これは消費電力を抑えることができる。
また、所定時間内に選局ボタンが繰り返し操作され続けている場合には、発光部（ＬＥＤ）１１２が点灯し続けるので、例えばユーザがチャンネル選局に迷っている場合であっても、発光部（ＬＥＤ）１１２は、選局の途中で消灯することなく点灯し続ける。
【００６６】
図６は、図１に示した携帯電話の選局ボタンＢのＬＥＤを点灯および消灯動作を説明するための図である。
次に、図６を参照しながら、発光部（ＬＥＤ）１１２の消灯中に、必要に応じて選局ボタンＢのＬＥＤを点灯させる方法について説明する。
これは、例えばユーザがテレビ視聴中に視聴しているチャンネルを知りたい場合や、チャンネルを変更したい場合を想定した機能である。
【００６７】
図６に示すように、キー操作部１１１は、発光部（ＬＥＤ）１１２の点灯および消灯を制御するための点灯ボタンＲＢが、例えば装置１の第１筐体部１１の右下部に設けられている。
【００６８】
例えば、発光部（ＬＥＤ）１１２消灯時に、点灯ボタンＲＢが操作されると、制御部１１６は、メモリ１１５に記録している、前回のチャンネルスキャンの結果を示すチャンネル情報ＤＣに基づいて、視聴可能なチャンネルに対応する発光部１１２を点灯させ、現在視聴しているチャンネルに対応する発光部１１２を点滅させる。
本具体例では、表示部１０６に視聴可能な８チャンネルを表示させ、そのチャンネルに対応する発光部１１２を点滅発光させることで、”８”ボタンが点滅するように照らされる。
【００６９】
再度手動でチャンネルスキャンを実行しても同じ状態を得ることは可能であるが、前回のチャンネル情報ＤＣをメモリ１１５内に記録させることで、再度チャンネルスキャンのために放送局との受発信も必要なく、短時間でＬＥＤの点灯が可能となる。
【００７０】
図７は、図１に示した携帯電話のＬＥＤ消灯中に選局ボタンのＬＥＤを再度点灯させる場合の動作を説明するためのフローチャートである。
【００７１】
消灯時に再度ＬＥＤを点灯させる第１および第２の方法を説明する。
第１の方法は、例えば図３に示したように、手動でチャンネルスキャンを行うフローであり、再度放送局からの放送波の受信状態に基づいてチャンネル情報を取得する方法である。
【００７２】
第２の方法は、例えば図７に示すように、チャンネルスキャンを行わずに点灯ボタンＲＢを押下することで、既にメモリ１１５が記録するチャンネル情報ＤＣを読み出し、そのチャンネル情報ＤＣに基づいて、発光部（ＬＥＤ）１１２を点灯させる方法である。
【００７３】
図３に示した動作との相違点のみ説明する。
詳細には、ステップＳＴ１において、制御部１１６は、手動でチャンネルスキャンが行われていないと判別した場合、つまりキー操作部１１１のスキャンボタンＳＢが操作されていないと判別した場合には、点灯ボタンＲＢが操作されているか否かを判別する（ＳＴ６）。
【００７４】
ステップＳＴ６の判別において、点灯ボタンＲＢが操作されたと判別した場合には、ステップＳＴ４の処理に進み、既にメモリ１１５が記録するチャンネル情報ＤＣを読み出し、そのチャンネル情報ＤＣに基づいて、発光部（ＬＥＤ）１１２を点灯させる。
一方、ステップＳＴ６の判別において、点灯ボタンＲＢが操作されていないと判別した場合には、一連の処理を終了する。
【００７５】
例えば、実際の操作方法としては、第２の方法に示したように、点灯ボタンＲＢの操作に応じた処理が、操作性の点から好ましい。
【００７６】
また点灯ボタンＲＢを別途設けない構成にしてもよい。
例えば、制御部１１６は、キー操作部１１１のいずれかのボタン操作をトリガーとして、チャンネル情報ＤＣに基づいて、発光部（ＬＥＤ）１１２を点灯させてもよい。
この構成の場合のチャンネルの変更手順を説明する。
【００７７】
キー操作部１１１のうちの選局ボタンＢのいずれかのボタンが操作（一回目）されると、ＬＥＤ１１２を点灯させ、その中点灯している選局ボタンＢのうちいずれかの選局ボタンＢが操作（二回目）されると、その選局ボタンＢに対応するチャンネルを決定する（二段階操作）。
【００７８】
また、さらには選局ボタンＢは、チャンネル変更を優先させ、それ以外のキー操作部をＬＥＤ点灯の目的に使用するのも効果的である。つまり数字キーのみではなく、”＊”，”０”，”＃”ボタンも同様である。
【００７９】
図８は、図１に示したディジタル放送受信時の動作の一具体例を説明するための図である。
【００８０】
例えば本実施形態に係る制御部１１６は、ディジタル放送波受信開始時には、選局ボタンＢを点灯する。
詳細には、制御部１１６は、前回終了時のチャンネルをメモリ１１５に記録する。
制御部１１６は、ディジタル放送受信機能起動時には、メモリ１１５が記録する前回終了時のチャンネルを示す情報に基づいて、チューナー部１０１に、そのチャンネルの放送波を受信させて、その放送波に含まれるコンテンツデータに応じた画像を表示部１０６に表示させる。
【００８１】
また、制御部１１６は、同時にメモリ１１５が記録するチャンネル情報ＤＣに基づいて、上記と同様に視聴可能なチャンネルを点灯して、表示しているチャンネルを点滅させる。
こうすることで、ユーザは例えば視聴途中で他の操作を行った場合であっても、ディジタル放送受信機能を再度起動させることで前回のチャンネルの放送を、煩雑な操作を行うことなく視聴することができる。
また、メモリ１１５に記録しているチャンネル情報ＤＣに基づいて、受信可能な選局ボタンＢを点灯させるので、再スキャンを行うことなく、受信可能なチャンネルを報知することができる。
【００８２】
以上説明したように、本実施形態に係る携帯電話１００は、指定したチャンネルの放送波を受信するチューナー部１０１と、チャンネルに対応する複数の選局ボタンＢを含むキー操作部１１１と、複数の選局ボタンＢのうち、チューナー部１０１が受信可能なチャンネルに対応する選局ボタンＢと、それ以外の選局ボタンＢとを視覚的に区別可能に制御する制御部１１６とを設けたので、受信可能なチャンネルを確実に報知することができる
【００８３】
また、選局ボタンＢに対応して設けられた発光部（ＬＥＤ）１１２を設け、制御部１１６は、発光部（ＬＥＤ）１１２を発光させて、チューナー部１０１が受信可能なチャンネルに対応する選局ボタンＢを照らすので、より確実にユーザに受信可能なチャンネルを報知することができる。
【００８４】
また、制御部１１６は、チューナー部１０１が受信可能なチャンネルに対応する選局ボタンＢのうち、表示部１０６に表示しているチャンネルに対応する選局ボタンＢと、それ以外の選局ボタンを視覚的に区別可能に制御する、例えば点滅と点灯、青色や赤色等区別可能に制御するので、表示部１０６に表示しているチャンネルを確実にユーザに報知することができる。
つまり、受信可能なチャンネルを選局ボタンＢを発光や照明により報知するので、ユーザはチャンネル選局が容易である。
【００８５】
また、表示部１０６に受信可能なチャンネルに関する画像表示を行わずに、キー操作部１１１の照明や発光により受信可能なチャンネルを報知するので、表示部１０６の表示に関する処理を軽減することができる。
【００８６】
また、制御部１１６は、チューナー部１０１による各チャンネルの放送波の受信状態に応じた発光強度で、チャンネルに対応する発光部（ＬＥＤ）１１２を発光させたり、受信状態に応じた色で発光させることで、受信状態を反映した報知を行うことができる。
例えばユーザは、選局ボタンＢの発光や照明を確認しながら、受信状態の良い環境（端末の向きや位置、場所）を探すことができ使い易い。
また、ユーザは受信状態が良好なチャンネルを知ることができ、ユーザが意図的に受信状態が良好なチャンネルを選ぶことができる。
【００８７】
図９は、本発明の第２実施形態に係る携帯電話の移動時の動作を説明するための図である。
次に移動体用ディジタル放送受信装置の特徴である移動時の動作、特にチャンネルスキャンについて図９を参照しながら説明する。
【００８８】
同一の受信エリア内で移動する場合は特に問題は発生しないが、例えば図９に示すように、携帯電話がディジタル放送を視聴中に受信エリアが変更するような移動をした場合が想定される。
携帯電話が移動することにより、詳細には例えば図９に示すように、放送局１００１Ａの受信エリアＡＲ１００１Ａから、他の放送局１００１Ｂの受信エリアＡＲ１００１Ｂへ移動することにより、受信エリアＡＲ１００１Ａで受信していた放送局１００１Ａから送信されたディジタル放送波が受信できなくなる。
【００８９】
本実施形態に係る携帯電話１００ａは、情報送信元の放送局を判別するエリア検知部を有し、このエリア検知部が放送局の変更を検知した場合に、自動でチャンネルスキャンを実行する。
以下、図面を参照しながら説明する。
【００９０】
図１０は、本発明の第２の実施形態に係る携帯電話の機能ブロック図である。
本実施形態に係る携帯電話１００ａは、例えば図１０に示すように、チューナー部１０１、復調部１０２、多重分岐部１０３、画像処理部１０４、データ処理部１０５、表示部１０６、音声処理部１０７、受話部１０８、送話部１０９、通信部１１０、キー操作部１１１、発光部１１２、発光調整部１１３、チャンネルスキャン部１１４、メモリ１１５、制御部１１６、エリア検出部１１７を有する。
【００９１】
携帯電話１００ａは、第１実施形態に係る携帯電話１００との相違点は、エリア検出部１１７がさらに設けられている点である。第１実施形態との相違点のみ説明する。他の構成要素については同じ符号を付して説明を省略する。
【００９２】
エリア検出部１１７は、受信地域の変更を検知し、検出結果を示す信号を制御部１１６に出力する。詳細には、エリア検出部１１７は、例えば情報送信元の放送局から送信される放送波の受信強度や、受信エリア情報等に基づいて受信地域を判別する。
【００９３】
制御部１１６は、エリア検出部１１７がこの受信地域の変更、例えば放送局の変更を検出した場合に、チャンネルスキャン部１１４にチャンネルスキャンを行わせて、チューナー部１０１が受信可能なチャンネルに対応する選局ボタンＢの発光部（ＬＥＤ）１１２を発光させる。または、制御部１１６は、チャンネル情報を取得して受信可能なチャンネルの選局ボタンＢに対応する発光部１１２を発光させる。
【００９４】
また、制御部１１６は、チャンネルスキャンを実行した場合に、チューナ部１０１が受信可能なチャンネルと、チャンネルの放送局に関する情報とを対応付けて表示部１０６に表示させる。
詳細には、制御部１１６は、表示部１０６に、移動先の放送局で割り当てられているチャンネルとテレビ局との一覧表ＴＰを表示させる。
本実施例では、自動のチャンネルスキャン後に一覧表ＴＰを表示するが、これは初めての場所ではチャンネル番号だけではなく番組を提供しているテレビ局を確認したいことがあるからである。当然この一覧表ＴＰには、各チャンネルの受信状態も情報として表示することも可能である。
また、制御部１１６は、第１実施形態と同様に、例えば視聴可能なチャンネルの中で一番小さい番号の番組を、表示部１０６に表示してもよい。
【００９５】
さらに携帯端末として移動の利点を生かすために、制御部１１６は、常時、チューナー部１０１による受信状態を更新しながら、その受信状態に応じて発光部（ＬＥＤ）１１２の発光強度や発光色を常時制御してもよい。こうすることで常に受信可能なチャンネルを報知することができる。
【００９６】
図１１は、図１０に示した携帯電話の移動時の動作を説明するためのフローチャートである。
図１１を参照しながら、例えばテレビ視聴時に携帯電話が移動した場合の動作を、制御部１１６の動作を中心に説明する。
【００９７】
ステップＳＴ２０１において、制御部１１６は、エリア検出部１１７が受信エリアの変更を検知したか否かを判別する。受信エリアが変更されていないと判別した場合には、制御部１１６は通常処理を行う。
【００９８】
一方、ステップＳＴ２０１において、エリア検出部１１７が受信エリアの変更を検知した場合には、チャンネルスキャン部１１４に、自動でチャンネルスキャンを実行させて（ＳＴ２０２）、受信エリア内の放送局からの放送波の受信強度に基づいて、チャンネル情報ＤＣを生成する（ＳＴ２０３）。
【００９９】
ステップＳＴ２０４において、制御部１１６は、メモリ１１５内に、そのチャンネル情報ＤＣを記録する。
ステップＳＴ２０５において、制御部１１６は、そのチャンネルスキャンの結果を示すチャンネル情報ＤＣに基づいて、複数の選局ボタンＢのうち、視聴可能（受信可能）なチャンネルに対応する複数個の選局ボタンＢに対応して備えられた発光部（ＬＥＤ）１１２を点灯させ、それ以外の選局ボタンＢに対応して設けられた発光部１１２の発光を抑制させることで、視覚的に区別可能に制御する。
【０１００】
ステップＳＴ２０６において、制御部１１６は、スキャン結果に基づいて、上述したチャンネル一覧表ＴＰを表示部１０６に表示させる。
他の動作は、第１実施形態と同様なので説明を省略する。
【０１０１】
以上、説明したように、本実施形態では、受信地域（エリア）の変更を検知するエリア検出部１１７を設け、制御部１１６は、エリア検出部１１７が受信地域の変更を検出した場合に、チューナー部１０１が受信可能なチャンネルの選局ボタンＢに対応する発光部（ＬＥＤ）１１２を発光させるので、各放送局の受信エリアから他の放送局の受信エリアへ移動した場合であっても、確実に受信可能なチャンネルを報知することができる。
【０１０２】
また、制御部１１６は、チューナー部１０１が受信可能なチャンネルを検出するチャンネルスキャンをチャンネルスキャン部１１４が実行した場合に、発光部（ＬＥＤ）１１２を発光させ、かつチューナー部１０１が受信可能なチャンネルと、チャンネルの放送局とを対応付ける表示、例えば一覧表ＴＰを表示部１０６に表示させるので、移動時に受信可能なチャンネルと放送局とを対応付けた情報を報知することができる。
【０１０３】
また、例えば初めて訪れる地域であっても、テレビ放送やラジオ放送の受信可能なチャンネルに関する情報を得ることができ、所望の視番組を視聴可能である。
【０１０４】
つまり、移動中に受信エリアが変わっても、継続して視聴するためのチャンネル選局および操作が容易である。
また、受信エリアが変更し一時的に映像が映らない場合に、自動でチャンネルスキャンを行うことで、例えば受信画像が映らない原因がユーザにもわかる。
【０１０５】
なお、本発明は本実施形態に限られるものではなく、任意好適な改変が可能である。
例えば、上述した携帯電話１００の構成は上述した構成に限られるものではない。
【０１０６】
また、プログラム（ＰＲＧ）は、通信ネットワークを介してダウンロードされてもよい。
また、制御部は、本発明に係る機能を有するハードウェアの回路により実現されてもよい。
【図面の簡単な説明】
【０１０７】
【図１】本発明の第１実施形態に係るディジタル放送受信装置を採用した通信システム１０００の全体図である。
【図２】本発明に係る携帯電話の一実施形態を示す機能ブロック図である。
【図３】図１に示した携帯電話のチャンネルスキャン時の動作を説明するためのフローチャートである。
【図４】図１に示した携帯電話のチャンネルスキャン結果に応じたチャンネル情報の一具体例を示す図である。
【図５】図１に示した携帯電話の発光部（ＬＥＤ）の消灯時の動作を説明するためのフローチャートである。
【図６】図１に示した携帯電話の選局ボタンＢのＬＥＤを点灯および消灯動作を説明するための図である。
【図７】図１に示した携帯電話のＬＥＤ消灯中に選局ボタンのＬＥＤを再度点灯させる場合の動作を説明するためのフローチャートである。
【図８】図１に示したディジタル放送波受信時の動作の一具体例を説明するための図である。
【図９】本発明の第２実施形態に係る携帯電話の移動時の動作を説明するための図である。
【図１０】本発明の第２の実施形態に係る携帯電話の機能ブロック図である。
【図１１】図１０に示した携帯電話の移動時の動作を説明するためのフローチャートである。
【符号の説明】
【０１０８】
１００…ディジタル放送受信装置（携帯電話）、１０１…チューナー部、１０２…復調部、１０３…多重分岐部、１０４…画像処理部、１０５…データ処理部、１０６…音声処理部、１０７…チャンネルスキャン部、１０８…表示部、１０９…受話部、１１０…送話部、１１１…通信部、１１２…キー操作部、１１３…発光部、１１４…発光調整部、１１５…メモリ、１１６…制御部、１１７…エリア検出部。
【図１】
2005341478.tif 000003
【図２】
2005341478.tif 000004
【図３】
2005341478.tif 000005
【図４】
2005341478.tif 000006
【図５】
2005341478.tif 000007
【図６】
2005341478.tif 000008
【図７】
2005341478.tif 000009
【図８】
2005341478.tif 000010
【図９】
2005341478.tif 000011
【図１０】
2005341478.tif 000012
【図１１】
2005341478.tif 000013